(57)【特許請求の範囲】
【請求項１】
両端閉塞の筒を長手方向に沿って二分割した形状の第１半筒部２と、第１半筒部の開口を開閉可能に閉塞するとともに、第１半筒部とで両端を閉塞した筒状のケース本体４を形成し、且つ、前縁に開口した取出口７に切断歯８を突設してなる第２半筒部３と、第１半筒部２前部上面に凹設した凹部16に突条15を嵌合させてケース本体内に不動に嵌着固定するとともに、長手方向に沿ったペーパー取出用のスリット状透孔13を有し、且つ、内部を収納室Ｒとした中筒５とを備え、収納室内に収納したロール紙14を透孔13から引き出すとともに、中筒と第２半筒部との間を通し、取出口に於いて切断歯で切断する如く構成したロール紙用ケースであって、第２半筒部にペーパーを送り出すための窓孔10を穿設したことを特徴とするロール紙用ケース。
【発明の詳細な説明】
【０００１】
【発明の属する技術分野】
本発明はロール紙用ケースに関する。
【０００２】
【従来の技術】
ティシュペーパーやあぶらとり紙等の携帯使用する紙の場合、例えば、可撓性を有する袋状のケースにスリット状の取出口を形成し、多数の紙片を折り畳んで収納し、一枚取り出すと次の紙の端部が取出口より突出する如く構成したものが知られている。
【０００３】
【発明が解決しようとする課題】
従来のものでは多数の紙片を収納しているためその大きさが常時限定される。また、ケースも可撓性合成樹脂等の簡易なものであるため、壊れ易く、耐久性に乏しい。また、その収納量も一枚の紙の大きさに限度があるため一般にあまり多くは出来ない。
【０００４】
本発明はこの様な点を考慮してなされたもので、必要に応じて大きさの異なる紙片を取り出すことができ、携帯に便利で、収納ロール紙を使い切った後の交換も可能で長持ちし、使い勝手も良い優れたロール紙用ケースを提案するものである。
【０００５】
【課題を解決するための手段】
第１の手段として、両端閉塞の筒を長手方向に沿って二分割した形状の第１半筒部２と、第１半筒部の開口を開閉可能に閉塞するとともに、第１半筒部とで両端を閉塞した筒状のケース本体４を形成し、且つ、前縁に開口した取出口７に切断歯８を突設してなる第２半筒部３と、第１半筒部２前部上面に凹設した凹部16に突条15を嵌合させてケース本体内に不動に嵌着固定するとともに、長手方向に沿ったペーパー取出用のスリット状透孔13を有し、且つ、内部を収納室Ｒとした中筒５とを備え、収納室内に収納したロール紙14を透孔13から引き出すとともに、中筒と第２半筒部との間を通し、取出口に於いて切断歯で切断する如く構成したロール紙用ケースであって、第２半筒部にペーパーを送り出すための窓孔10を穿設した。
【０００６】
第２の手段として、以下の通り構成した。即ち、両端閉塞の筒を長手方向に沿って二分割した形状の第１半筒部2Aと、第１半筒部2Aの開口を開閉可能に閉塞するとともに、第１半筒部とで両端を閉塞した筒状のケース本体4Aを形成した第２半筒部3Aと、第１半筒部後縁に後縁を回動可能に連結して第２半筒部を覆う半筒状をなすとともに、前縁に切断歯８を突設してなる蓋板17とを備え、ケース本体内の収納室Ｒに収納したロール紙14を、ケース本体の長手方向に沿って穿設したペーパー取出用のスリット状透孔13から引き出すとともに、第２半筒部と蓋板との間を通し、蓋板の前縁部に開口した取出口７に於いて切断歯８で切断する如く構成したロール紙用ケースであって、蓋板にペーパーを送り出すための窓孔10A を穿設した。
【０００７】
第３の手段として、以下の通り構成した。即ち、両端閉塞の筒を長手方向に沿って二分割した形状の第１半筒部2Bと、該第１半筒部前縁より外方へ突設した第１挟持板21と、第１半筒部の開口を開閉可能に閉塞して第１半筒部とで内部に円筒形状の収納室Ｒを画成した第２半筒部3Bと、第２半筒部の前縁より第１挟持板21上に突設した第２挟持板22とを備え、収納室Ｒ内に収納したロール紙14を、各挟持板基端部間のスリット状透孔13を介し、各挟持板先端部間の取出口７に於いて切断歯８で切断する如く構成したロール紙用ケースであって、各挟持板にペーパーを送り出すための窓孔10B を穿設した。
ール紙用ケースとして構成した。
【０００８】
第４の手段として、以下の通り構成した。即ち、前記第３の手段に於いて、上記収納室Ｒ内にそれぞれ起立するとともに、先端内側に係止突起23を突設した一対の弾性支持板24を設け、各突起をロール紙14両側の孔25にそれぞれ圧接してロール紙を回動可能に支持した。
【０００９】
【発明の実施の形態】
以下、本発明の実施例の形態を図面を参照して説明する。
【００１０】
図１乃至図３は第１の手段の一実施例を示し、本実施例に於いてロール紙用ケース１は、第１半筒部２及び第２半筒部３からなるケース本体４と、中筒５とを備えている。
【００１１】
第１半筒部２は、両端閉塞の筒を長手方向に沿って二分割した形状の半筒状をなしており、図示例では、両側壁をそれぞれ外方へ突出湾曲させた横長半円筒状をなしている。また、左右隅部には、収納室の側端面を画成するとともに、収納するロール紙両側端面と平行してケース内でのロールの移動、ズレが生じるのを防止する隔壁６を設けている。
【００１２】
第２半筒部３は、第１半筒部開口を開閉可能に閉塞して第１半筒部２とで両端を閉塞した筒状のケース本体４を形成する半筒状をなすとともに、前縁に開口した取出口７に切断歯８を突設しており、図示例では、第１半筒部２と同様に外方へ突出湾曲する両側壁を備えた横中半円筒状をなしている。また、左右隅部の上記各隔壁と対向する位置に、同様構成の隔壁６をそれぞれ設けている。更に、ヒンジ９を介してその後縁を第１半筒部後縁に回動可能に連結している。
【００１３】
取出口７の横幅は、ロールから引き出されるペーパーの横幅と同程度のものが好ましく、その縦幅は切断歯８を突設した際に余分な隙間が生じない程度の縦幅とすると良い。また、切断歯８の形態も種々採用でき、図１に示す如き鋸歯状のものや、図７に示す如き刀歯状のものを種々選択できる。また、第２半筒部３にはペーパーを送り出すための窓孔10を穿設している。窓孔10の形状、大きさは適宜選択することができるが、ペーパーを指で送り出すのに適した面積，形状を選択すれば良い。図示例では、頂壁中央部に平面視四角形状の窓孔10を穿設している。
【００１４】
また、第１半筒部２前縁両側には一対のフック11を立設するとともに、各フック内側部分に係止突条12をそれぞれ突設しており、一方、第２半筒部３の前縁両側には第１半筒部のフックが係合する係止突条12及び第１半筒部２の係止突条12に係合するフック11をそれぞれ設けており、各フック11を各係止突条12に係合させて閉蓋状態を維持する如く構成している。
【００１５】
中筒５は、ケース本体４内に嵌着固定するとともに、上面後部に長手方向に沿ったペーパー取出用のスリット状透孔13を有し、更に、内部をロール紙14を収納する収納室Ｒとして構成している。図示例では、各半筒部の各隔壁６と中筒５とで収納室Ｒを画成しており、また、中筒５前面を横断して突設した突条15を第１半筒部２前部上面に凹設した凹部16に嵌合させて不動に構成している。
【００１６】
上記の如く構成したケース１は、図３に示す如く、収納室Ｒ内に収納したロール紙14を透孔13から引き出すとともに、中筒５と第２半筒部３との間を通し、取出口７に於いて切断歯８で切断する如く構成している。その際、第２半筒部にペーパーを送り出すための窓孔10を穿設しているため、使用の都度ペーパー端部14a を取出口７より引き出し易い突出幅まで送り出すことができる様構成している。また、切断歯８により切断したペーパー端部14a は取出口７より殆ど突出しない状態で維持される。尚、図３は中筒５とケース本体４との間に大きな隙間がある様に描かれているが、これはロール紙14の引き出し経路を説明する便宜上大きな隙間に描いているのであって、実際は紙が通過できる程度の隙間があれは良い。
【００１７】
図４乃至図６は第２の手段の一実施例を示すもので、本実施例に於けるケース１は、第１半筒部2A及び第２半筒部3Aからなるケース本体4Aと、蓋板17とを備えている。
【００１８】
第１半筒部2Aは、両端閉塞の筒を長手方向に沿って二分割した形状の半筒状をなしており、図示例では、半円状の両側壁を有した横長半円筒状をなしている。また、上面内側縁には係合突条18を突設し、その外側に第２半筒部内面下端縁を嵌合可能に構成している。また、係合突条18の後部はペーパーを取り出すために切り欠いている。
【００１９】
第２半筒部3Aは、第１半筒部開口を開閉可能に閉塞して第１半筒部とで両端を閉塞した筒状のケース本体4Aを形成する半筒状をなしており、本実施例では半円状の両側壁を有した横長半円筒状をなしている。また、前縁両側に於いて幅狭の一対のヒンジ９を介して第１半筒部2Aの前縁両側に回動可能に連結しており、内面下端部を係合突条18外周に嵌合させて、内部に収納室Ｒを画成し、第１半筒部2Aの後部上面と、第２半筒部3Aの後部下面との間にスリット状の透孔13を形成している。
【００２０】
蓋板17は、第１半筒部後縁に後縁を回動可能に連結して第２半筒部3Aを覆う半筒状をなすとともに、前縁部には第１半筒部2Aとの隙間端部である取出口７を開口するとともに、上記実施例と同様形態の切断歯８を突設している。また、蓋板17には上記実施例と同様のペーパーを送り出すための窓孔10A を穿設している。図示例では、後縁両側に於いて幅狭の一対のヒンジ９を介して第１半筒部2Aの後縁を回動可能に連結している。更に、内面両側に突設した係合突起19を、第２半筒部3A外面両側に凹設した係合凹部20に嵌合させて、閉蓋状態を維持する如く構成している。
【００２１】
本実施例では、収納室Ｒに収納したロール紙14を、ケース本体4A後部のスリット状透孔13から引き出すとともに、第２半筒部3Aと蓋板17との間を通し、取出口７に於いて切断歯８で切断する如く構成している。
【００２２】
本実施例の場合、例えば、図５の状態から第１半筒部2Aにロール紙14を収納してその一端縁部を引き出しておいた状態で第２半筒部3Aを嵌合し、次いで蓋板17を閉じてその係合突起19を係合凹部20に嵌合して固定する。使用する際には窓孔10A より指でペーパーを送り出し、取出口７から突出したペーパー端部14a を所定幅引き出して切断歯８で切断して使用する。
【００２３】
図７乃至図９は第３の手段の一実施例を示すもので、本実施例のケース１は、第１半筒部2Bと、第１挟持板21と、第２半筒部3Bと、第２挟持板22とを備えている。第１半筒部2Bは、両端閉塞の筒を長手方向に沿って二分割した半筒状をなしている。また、第１挟持板21は、第１半筒部2B前縁より外方へ突設した板状をなしている。更に、第１挟持板21にも上記実施例と同様形態の窓孔10B を穿設している。図示例に於いて第１半筒部2Bは、半円状の両側壁を有した横長半円筒状をなしており、第１挟持板21は、平面視横長矩形状をなし、ペーパーを送り出すための隙間を形成するために両側縁を残して中央部を凹ませている。また、第１挟持板21両側の前縁には係止突条12をそれぞれ突設している。窓孔10B は、第１挟持板21左右中央に穿設した横長矩形状をなしている。
【００２４】
第２半筒部3Bは、第１半筒部2Bの開口を開閉可能に閉塞して第１半筒部2Bとで内部に円筒状の収納室Ｒを画成した半筒状をなし、また、第２挟持板22は、第２半筒部3Bの前縁より第１挟持板21上に突設している。更に、第２挟持板22にも上記実施例と同様形態の窓孔10B を穿設している。図示例に於いて、第２半筒部3Bは半円状の両側壁を有した横長半円筒状をなしており、第１半筒部後縁にヒンジ９を介して第２半筒部3B後縁を回動可能に連結している。また、第２挟持板22は、第２半筒部3B前縁より突設した平板状をなし、両側端部を第１挟持板21両側端部に当接し、両者間に凹部が形成する隙間を設けている。更に、第２挟持板22両側の第２半筒部3B前縁よりそれぞれフック11を突設し、第１半筒部2Bの係合突条18にそれぞれ係合させて閉蓋状態を維持する如く構成している。また、窓孔10B は、第１挟持板21の窓孔10B と同位置に同形状で穿設している。
【００２５】
各挟持板の基端部間を収納室Ｒ内と各挟持板の隙間とを連通するスリット状透孔13に構成し、また、各挟持板の先端部間に開口した取出口７に、上記実施例と同様形態の切断歯８を突設している。
【００２６】
また、本実施例では、収納室Ｒ内にそれぞれ起立するとともに、先端内側に係止突起23を突設した一対の弾性支持板24を設け、各突起をロール紙14両側の孔25にそれぞれ圧接してロールを回動可能に支持させる如く構成している。更に、第２半筒部3Bの両側壁内面には押圧突起26を縦設している。各押圧突起26は、第２半筒部を閉じた際に弾性支持板24外面をそれぞれ内側へ押圧し、各弾性支持板24によるロールの支持をより確実に行えて外れることがないように構成したものである。尚、この様な構成は上記図１の実施例及び図４の実施例にも採用できる。
【００２７】
本実施例では、図７の状態からロール紙14を第１半筒部2B内に収納し、両側の孔25に各押圧突起26をそれぞれ嵌合装着する。次いで、ペーパー端部14a が第１挟持板21上に位置する状態で第２半筒部3B及び第２挟持板22を回動させ、フック11を係合突条18に係合させて閉蓋状態を維持させる。使用の際には、窓孔10B に露出したペーパー端部14a を指で送り出し、取出口７から先端を突出させた後必要なだけ引き出し、切断歯８により切断して使用する。ロール紙14が無くなった場合には、第１半筒部2Bを開けて簡単に交換することができ、上記各実施例に於いても同様に簡単なロール紙の補充ができる如く構成している。
【００２８】
尚、上記各部材は合成樹脂により形成すると良い。
【００２９】
【発明の効果】
以上説明した如く本発明のロール紙用ケースは、既述構成としたことにより、使用に当たっては、必要に応じた量のロール紙を使用でき、また、持ち運びに便利で、耐久性に優れ、更に、紙が無くなった場合には容易に補充できるものである。
【００３０】
また、ペーパーを送り出すための窓孔を備えているため、不使用時には取出口から突出していないペーパ端部を容易に取出口より突設させることができ、また、切断の際には窓孔部分でペーパーを押さえた状態で切断歯による切断を行えるため、ロール紙の余分な引き出しを防止できるものである。また、ペーパーを押さえてもロール部分には接触しないので、ロールが変形する等の不都合はなく、しかもロールが少なくなった際の繰り出し、押さえも行い易い。
【００３１】
また、第２の手段及び第３の手段のケースでは、全体を合成樹脂の一体成形で形成できる利点を兼ね備えている。
【００３２】
また、第４の手段のケースは、ロール紙を収納室内の中心部にまわりと接触せずに位置させることができるため円滑なペーパーの引き出しを行えるものである。
【図面の簡単な説明】
【図１】本発明の一実施例を示す分解斜視図である。
【図２】同実施例の半断面図である。
【図３】同実施例の縦断面図である。
【図４】本発明の他の実施例を示す斜視図である。
【図５】同実施例の分解斜視図である。
【図６】同実施例の縦断面図である。
【図７】本発明の更に他の実施例を示す分解斜視図である。
【図８】同実施例の斜視図である。
【図９】同実施例の半断面図である。
【符号の説明】
２,2A,2B…第１半筒部，３,3A,3B…第２半筒部，４,4A …ケース本体，
５…中筒，７…取出口，８…切断歯，10,10A,10B…窓孔，
13…スリット状透孔，14…ロール紙，14a …ペーパー端部，17…蓋板，
21…第１挟持板，22…第２挟持板，23…係止突起，24…弾性支持板，
25…孔，Ｒ…収納室
【図１】
0003904815.tif 000002
【図２】
0003904815.tif 000003
【図３】
0003904815.tif 000004
【図４】
0003904815.tif 000005
【図５】
0003904815.tif 000006
【図６】
0003904815.tif 000007
【図７】
0003904815.tif 000008
【図８】
0003904815.tif 000009
【図９】
0003904815.tif 000010